(57)【特許請求の範囲】
【請求項１】
換気手段に対する第１情報を検出する第１情報検出手段と、上記第１情報検出手段によって検出された第１情報を基に第２情報を算出する第２情報算出手段と、上記第２情報算出手段から算出された第２情報を表示する表示手段を備えた情報表示装置であって、
上記第１情報は上記換気手段の風量であり、上記第２情報はダクト長であることを特徴とする情報表示装置。
【請求項２】
上記表示手段に上記換気手段の風量を表示することを特徴とする請求項１記載の情報表示装置。
【請求項３】
上記表示手段に温度、湿度及びＶＯＣ濃度を表示することを特徴とする請求項１又は２に記載の情報表示装置。
【請求項４】
上記第１情報検出手段は風量検出手段であって、
該風量検出手段は、上記換気手段を駆動する駆動モータの負荷検出手段か、上記換気手段からの風圧又は風速を計測する風圧等計測手段かの何れかであることを特徴とする請求項１乃至３の何れかに記載の情報表示装置。
【請求項５】
上記負荷検出手段は、上記駆動モータの回転数検出手段であることを特徴とする請求項４記載の情報表示装置。
【請求項６】
上記第１情報検出手段では、上記駆動モータの回転数に換算した出力に基づいて上記換気手段の風量が算出されることを特徴とする請求項１乃至５の何れかに記載の情報表示装置。
【請求項７】
上記第１及び第２情報の算出表示処理は、運転モードを選択する操作ボタンを兼用して実行されることを特徴とする請求項１記載の情報表示装置。
【請求項８】
空気を屋外に排気する排気手段と、上記排気手段を制御する制御部と、この制御部への制御情報を生成する操作部とを備え、
この操作部には表示部が設けられると共に、上記制御部には、上記排気手段の第１情報と第２情報をそれぞれ算出して、第２情報を上記表示部に表示するようにしたことを特徴とする請求項１記載の換気装置。
【請求項９】
上記表示部に第１情報を表示することを特徴とした請求項８記載の換気装置。
【発明の詳細な説明】
【技術分野】
【０００１】
本発明は、室内の換気を行う換気装置に適用して好適な情報表示装置および換気装置に関する。詳しくは、換気ファンに対する風量および換気ファンに連結されるダクト長（直管相当分）などの情報を、点検情報などとして算出表示することで、点検の都度、風量計測計などを設置することなく、直ちに換気ファンの風量やダクト長などの情報を表示できるようにしたもので、定期点検時などに換気ファンの稼働状況を簡単に把握できる情報表示装置等を提供するものである。
【背景技術】
【０００２】
空調装置として、室内に設置された換気装置などが知られている。このような換気装置にあっては、竣工前（引渡し前）に換気装置に設置された換気ファンの稼働状態がチェックされる。換気ファンの場合では、何よりも増して風量が規定の風量を満たしているかどうかがチェックされる。規定の風量であるかどうかは、換気装置本体および搬送部材（ダクトや端末部材）の末端の吸気口に風量計を設置し、測定を行う。
【０００３】
なお、風量に関しては、換気ファンに連結されたダクトの損失抵抗を測定して適性換気風量となるように制御するような技術は知られているが、風量を表示部などに表示する機能は付加されていない（例えば特許文献１など）。
【０００４】
また、換気装置の施工の状態を調べるときには、換気ファンに接続されたダクトのダクト長を測る場合がある。これは換気ファンを設置する場合、この換気ファンと排気グリルとの間に配管されたダクトが、設計図通りに配管されていない場合があるからである。設計図通りでないときは、設計時の配管長（ダクト長）よりも長くなったり、折れ曲がり部分が多くなったりして、設計図とは異なった配管がなされる場合がある。
【０００５】
ダクト長が設計通りではないと、所定風量が確保できなかったり、換気ファンに対する稼働負荷が増加し、騒音が大きくなったりする問題を惹起するからである。
【０００６】
【特許文献１】特開２０００―２８１９２号公報
【発明の開示】
【発明が解決しようとする課題】
【０００７】
このように換気装置の施工の状態を確認するためには、その点検情報として、換気ファンの風量やダクト長等の換気装置全体の情報が不可欠である。
【０００８】
換気ファンのこのような情報は、通常その場で測定したり、計測することで求めているのが現状である。例えば換気ファンの風路上に風量計をセットして風量を直接測定したり、ダクト長算出装置に風量実測値を入力することで、直管相当のダクト長を算出したりしなければならない。しかし、このような装置を使用したのでは、簡便に目的の点検情報を入手することが困難である。最小限の点検情報を手軽に入手できることが先決問題である。
【０００９】
そこでこの発明はこのような問題を解決するためになされたもので、風量計などを設置することなく、換気装置などの必要最小限の情報（点検情報など）を簡単に入手できるようにした情報表示装置等を提案するもので、換気装置内に組み込むことによって、点検作業の効率化を図ることができる。
【課題を解決するための手段】
【００１０】
上述した課題を解決するため、この発明に係る情報表示装置は、換気手段に対する第１情報を検出する第１情報検出手段と、上記第１情報検出手段によって検出された第１情報を基に第２情報を算出する第２情報算出手段と、上記第２情報算出手段から算出された第２情報を表示する表示手段を備えた情報表示装置であって、上記第１情報は上記換気手段の風量であり、上記第２情報はダクト長であることを特徴とする。
【００１１】
またこの発明に係る換気装置は、空気を屋外に排気する排気手段と、上記排気手段を制御する制御部と、この制御部への制御情報を生成する操作部とを備え、この操作部には表示部が設けられると共に、上記制御部には、上記排気手段の第１情報と第２情報をそれぞれ算出して、第２情報を上記表示部に表示するようにしたことを特徴とする。
【００１２】
この発明に係る情報表示装置は換気装置に適用できる。その場合には、室内に設けられたリモートコントロール用の操作部（操作パネル）上の表示部に、換気装置に関する最小限の情報、例えば点検情報が表示される。点検情報は、施工上の不具合が発生したようなときの原因究明用として参照される情報であって、もちろん保守点検時にも参照される。最小限の点検情報としては、換気ファンに関する風量情報（第１の情報）であり、換気ファンに接続された排気グリルまでのダクト長の情報（第２の情報）である。室内の空気を集めて排気することから、室内の揮発性有機化合物（ＶＯＣ）の濃度などを第１又は第２の情報として表示できれば一層便利である。
【００１３】
第１情報検出手段は風量算出手段であって、この風量算出手段としては、換気ファンを駆動するモータの負荷を検出する負荷検出手段や、風圧、風速を計測することで風量を算出する風圧等計測手段が考えられる。モータ負荷の検出手段としては、モータの回転数を検出すればよい。モータ回転数を直接検出するのではなく、このモータに周波数発電機（ＦＧ）を付けておけば、そのＦＧパルス数をカウントすることでモータ回転数に換算できる。
【００１４】
第２の情報である風量の算出には、モータ回転数Ｎと風量Ｑの関係を示す特性曲線が利用される。
【００１５】
換気ファンのダクト長は、直管相当分の長さとして求められる。このダクト長は、風量Ｑとダクトの圧力損失曲線（Ｐ−Ｑ曲線）から、まず圧力損失を求め、この圧力損失に相当するダクトの抵抗損失曲線から直管相当のダクト長が算出される。
【００１６】
情報算出・表示モードの選択は、換気運転モードを選択するボタンを兼用する。このボタンの操作時間を監視して何れのモードであるかを判断する。風量の算出およびダクト長の算出は、テーブル化されたデータを利用することで、直接求める。したがって回転数と風量の関係を示すデータテーブルから風量を直接求め、回転数と圧力損失およびダクト抵抗損失の関係を示すデータテーブルからダクト長を直接求めることができる。したがって、情報算出・表示モードが選択されると、換気ファンが駆動されていれば直ちにこれら点検情報を算出し、表示することができる。
【発明の効果】
【００１７】
この発明では、換気ファンに対する風量および直管相当分のダクト長などの情報を算出し、表示できるようにしたもので、点検情報等を算出・表示することができる。
【００１８】
これによれば、点検の都度、風量計測計などを設置し、得られた風量情報などの第１情報に基づいて換気ファンに連結されたダクトの直管に相当するダクト長などの第２情報を算出するなどの、手間をかけることなく、極めて簡単に基礎的な点検情報を入手できる特徴を有する。
【００１９】
また、この発明では、複数の運転モードを切り替えて換気ファンなどを制御する制御部に、換気ファンに対する風量やこの換気ファンに設けられたダクトの直管相当分のダクト長を算出・表示できるようにしたものである。
【００２０】
これによれば、換気装置の施工上不具合があったとき、あるいは定期点検時などに換気ファンの稼働状況を簡単に、表示し把握できるので、不具合などの原因究明の手がかりとしてこの点検情報を活用できる利点がある。
【発明を実施するための最良の形態】
【００２１】
以下、図面を参照して本発明の情報表示装置およびこの情報表示装置を備えた換気装置を浴室空調装置に適用した場合について説明する。
【００２２】
図１はこの発明を適用できる浴室空調装置１の設置例であって、洗面所３１に隣接した浴室３２に浴室空調装置１が設置された状態を示す。浴室空調装置１は浴室３２の天井に設置される。浴室３２の天井パネルには、浴室空調装置１の下部側が入る開口部が形成され、浴室空調装置１は装置下部側の取り付けられたフロントパネル５が露出するように取り付けられる。実際には、天井裏から吊り下げて取り付けるか、天井パネルに固定した状態で取り付けられる。
【００２３】
浴室空調装置１に設けられた他室排気ダクト接続部３３には他室排気ダクト３４が接続される。他室排気ダクト３４の先端部は、洗面所３１の天井に設けられた洗面所排気吸込口３５となされる。
【００２４】
浴室空調装置１に設けられた排気ダクト接続部３６には排気ダクト３７が接続される。排気ダクト３７の先端部は、図示しない建物の外壁に取り付けた排気グリル３８に接続される。この構成によって、浴室空調装置１で吸込んだ浴室３２内の空気および他室排気ダクト３４通じて吸込んだ、この例では洗面所３１内の空気を、排気ダクト３７を介して建物外に排気することができる。
【００２５】
浴室空調装置１は、洗濯物等を乾燥させる乾燥機能を有するので、浴室３２には洗濯物等を掛けるランドリパイプ３９を備える。ランドリパイプ３９に吊り下げられた洗濯物に浴室空調装置１からの吹き出す空気が当たるように、空気の吹き出し方向が設定されている。浴槽３２ａ外の洗い場３２ｂに居る入浴者に吹き出された空気が直接当たると、寒さを感じることがあるが、吹き出し方向をランドリパイプ３９側に設定することで、入浴者への直接的な吹き出しを回避できる。なお、この吹き出し方向の調整は自在である。
【００２６】
浴室３２の入口に設置された浴室ドア４０にはその下部などに空気取入口（ガラリ）４０ａを備えており、洗面所３１等の空気を浴室３２内に取り込めるようになっている。
【００２７】
図１では設置されている浴室空調装置１には他室排気ダクト接続部３３（他室排気吸込口２ｃ）が１つしかないようになっているが、実際には、その他にトイレからの他室排気ダクト接続部が設けられ、洗面所３１からの排気だけではなく、トイレからの排気も可能なように構成されている。
【００２８】
もちろん、洗面所３１と浴室３２からの排気処理機構のみの浴室空調装置でも、この発明を適用できるし、他室排気吸込口を複数設け、複数の他室からの排気を吸込み、吸込んだ空気を他室排気ダクト３４から排気する構成としても、さらには他室排気吸込口を設けず、他室からの排気の吸込みを行わない構成としてもよい。
【００２９】
図２はこの発明を浴室空調装置に適用したときの一例を示す要部を分解した概観図である。図３は図２構成のうち要部のＡ−Ａ断面を示し、図４は同じく図２構成のうち要部のＢ−Ｂ断面を示す。また、図３および図４においては説明のため、一部の透視した状態を破線で示す。
【００３０】
図２〜図４に示すように、この浴室空調装置１は本体ケース２、換気ユニット３、循環ユニット４およびフロントパネル５を備える。本体ケース２は、図２のように所定の高さを有し、下部が開放された四角形状のケースである。図３および図４に示すように、換気ユニット３が循環ユニット４の上部に位置するように、換気ユニット３と循環ユニット４とが本体ケース２の内部に直接取り付けられる。ここに、換気ユニット３は本体ケース２に対して着脱自在に装着され、循環ユニット４は本体ケース２と換気ユニット３に対してそれぞれ着脱自在に装着される構成となっている。
【００３１】
図３に示すように、本体ケース２の下部開放部側にはフランジ２ａが設けられ、このフランジ２ａを用いてフロントパネル５が装着固定される。本体ケース２の側面には、屋外への排気のための排気口２ｂと、浴室以外の洗面所等から空気を吸込むための他室排気吸込口２ｃを備える。本体ケース２は不燃材が使用される。この例は製造性やコスト等を考慮して鉄材によって構成される。
【００３２】
換気ユニット３は、図３および図４に示すように換気ファンユニット６、換気用吸込部Ａ７ａおよび回路基板部８を有する。換気ファンユニット６は、多翼の換気ファン９と、この換気ファン９を回転駆動する換気ファンモータ１０で構成され、さらに風路を形成する換気ファンケース１１を有する。したがって、換気ファン９、換気ファンモータ１０および換気ファンケース１１とで換気手段が構成される。
【００３３】
換気ファンケース１１は、換気ファン９の軸方向に沿って換気ファン吸込口９ａが形成され、換気ファン吸込口９ａが上面を向いた状態で、換気ファン９が本体ケース２に取り付けられる。換気ファンケース１１は本体ケース２との間で、所定の高さＬを保持するように本体ケース２に取り付け固定される。所定の風路を確保するためである。
【００３４】
また、換気ファンケース１１の吹き出し方向に形成された開口部が本体ケース２の排気口２ｂとなる。これによって、換気ファンケース１１の内部と、本体ケース２の排気口２ｂが連通した排気風路１２が形成される。
【００３５】
図４に示すように換気用吸込部Ａ７ａは、上面および下面がそれぞれ開放された筒状の部材により形成され、所定の高さＬを保持した状態で換気ファンケース１１の側部に取り付けられる。換気用吸込部Ａ７ａの下端面には、循環ユニット４に備えられた換気用吸込部Ｂ７ｂが接続される。換気用吸込部Ｂ７ｂも両端開放の筒状体であって、換気用吸込部Ａ７ａの内空間と連通された状態となる。この内空間は換気用吸込風路１３の一部となる。
【００３６】
また、脱衣所、トイレ等の他室の空気を吸込む本体ケース２の他室排気吸込口２ｃと、本体ケース２内部の換気ファンユニット６上部の空間によって他室排気吸込風路１４が形成される。
【００３７】
図３に示すように換気ファンユニット６の側部は回路基板部８となされる。回路基板部８には、浴室空調装置１の制御を行うための回路基板などが収納される。
【００３８】
図３および図４に示すように、循環ユニット４は循環ファンユニット１５、ヒータ１６、吹出部１７、換気用吸込部Ｂ７ｂおよびシャッタ２６用の駆動室（電動室であって、図示はしない）とで構成される。
【００３９】
循環ファンユニット１５は、多翼の循環ファン１９と、循環ファン１９を回転駆動する循環ファンモータ２０を備える。また、循環ファンユニット１５は、風路を形成するための循環ファンケース２１を有し、その内部所定位置には循環ファン１９と循環ファンモータ２０が取り付け固定されている。図３に示す実施例では、循環ファン１９は給気ファンとして機能し、循環ファンモータ２０は給気ファンモータとして機能する。したがって、循環ファンケース２１は給気ファンケースとして機能するので、これら循環ファン１９、循環ファンモータ２０および循環ファンケース２１によって給気手段が構成されたことになる。
【００４０】
循環ファンケース２１は、循環ファン１９の軸方向に沿って循環用吸込口２２が形成され、循環用吸込口２２が下面を向いた状態で、本体ケース２に取り付けられる。循環ファンケース２１の側面の開口部には、吹出部１７が取り付けられる。吹出部１７は、吸込側と吹出側の二箇所の開口部を備えた内部が空洞の筒状体である。吸込側の開口部は循環ファンケース２１に取り付けられ、吹出側の開口部は下面を向いた状態になっている。この吹出部１７の下面を向いた開口部が吹出口２３となる。吹出部１７の内部を通じて、吹出口２３と循環ファンケース２１の内部が連通するので、この連通部分が循環風路２４として機能する。
【００４１】
循環風路２４を形成する吹出部１７の内部にはヒータ１６が固定されている。ヒータ１６としては、例えばＰＴＣ（Positive Temperature Coefficient）ヒータを利用できる。
【００４２】
換気用吸込部Ｂ７ｂは、図４に示すように上面および下面が開放した筒状体であって、吹出部１７の側部に位置する。換気用吸込部Ｂ７ｂの下面の開放部は、換気用吸込口２５を形成する。循環ユニット４が本体ケース２および換気ユニット３に装着された状態では、循環ユニット４の換気用吸込部Ｂ７ｂの上面と、前述した換気ユニット３の換気用吸込部Ａ７ａの下面が接続されて一体となる。これにより、上述したように循環ユニット４の換気用吸込部Ａ７ａと換気ユニット３の換気用吸込部Ｂ７ｂとで換気用吸込部７が形成され、そしてその内部が換気用吸込風路１３となる。
【００４３】
図４に示すように換気用吸込部Ｂ７ｂの換気用吸込口２５の近傍には、シャッタ２６が回動自在に設けられている。シャッタ２６のシャッタ軸２７には、図示しないが駆動ギアなどを介してシャッタ用の駆動モータ（図示しない）が連結されている。駆動モータは本体ケース２の電動室内に取り付け固定される。駆動モータとしてはステッピングモータが使用されている。シャッタ駆動モータを駆動することで、シャッタ２６が回動し、シャッタ２６の回動によって換気用吸込口２５の開閉とその開閉度（開口度）を調整できる。
【００４４】
運転モードの一態様として、換気用吸込口２５を開放した状態で換気ファン９を駆動する態様を考える。この運転モードでは浴室空調装置１の内部と外部にそれぞれ空気流が生じる。つまり換気ファン９によって、換気用吸込風路１３を通じて換気用吸込口２５から浴室空調装置１の外部空気を吸込む。さらに他室排気風路１２を通じて他室排気吸込口２ｃから他室空気を吸込む。換気ファン９はこれら吸込んだ空気を、排気風路１２を通じて排気口２ｂから浴室空調装置１の外部に吹き出す（排気する）。
【００４５】
また、運転モードの他の態様として循環ファン１９およびヒータ１６を動作させた場合には、浴室空調装置１の内部と外部にそれぞれ空気流が生じる。循環ファン１９が駆動されると、この循環ファン１９によって循環用吸込口２２から浴室空調装置１の外部空気を吸込む。そして吸込んだ空気を、循環風路２４を通じて吹出口２３から浴室空調装置１の外部に吹き出す（排気する）。ヒータ１６によって循環ユニット４の外部に吹き出される空気が循環風路２４の途中で温められる。さらに詳細な運転モードについては後述する。
【００４６】
なお、図２から図４のように浴室空調装置１を構成した場合には、金属製の本体ケース２に換気ユニット３および循環ユニット４を直接取り付ける構造であるため、浴室空調装置１を構成する各コンポーネントを取り付けるための空間を大きく取ることができる。
【００４７】
そのため、大口径のファンユニットを使用できるようになるから、より低速のファン回転数で同じ風量の吸込みおよび吹き出しの空気の風量を得ることが可能になる。これによってファンの静音化や小型化を実現できる。
【００４８】
本体ケース２および換気ユニット３に対して、循環ユニット４が着脱自在に構成されているため、循環ユニット４および換気ユニット３等のメンテナンス性が向上するなどの特徴がある。
【００４９】
図１に示すように、洗面所３１の壁面の所定位置には、浴室空調装置１を制御するための操作部（操作パネル）４２が取り付けられている。操作部４２はリモートコントロール装置である。
【００５０】
図５は操作部４２の一例を示す構成図である。操作部４２はＬＣＤなどを使用した表示部４２ａと、各種操作ボタン等を備える。操作ボタンは運転モードを選択するためのボタン類であって、この例では、暖房運転モードを選択する暖房モードボタン４２ｂと、涼風運転モードを選択する涼風モードボタン４２ｃと、乾燥運転モードを選択する乾燥モードボタン４２ｅを備える。さらに換気運転モードを選択する換気モードボタン４２ｄを備えるが、この換気モードボタン４２ｄは後述するように、浴室空調装置１に備えられた換気ファン９の風量や、この換気ファン９と排気グリル３８との間に接続された排気ダクト３７のダクト長（施工後の実際のダクト長）をそれぞれ計測するための計測ボタンとの兼用構成となっている。
【００５１】
兼用構成であるため、この例では単発的な押圧操作は換気運転モードの選択と判断し、それよりも長く、例えば２秒以上ボタンが押し込まれている状態が続いたときは、計測モードが選択されたものと判断するようにしている。詳細は後述する。
【００５２】
操作部４２には、さらに選択した運転モードを操作者が確認できるように、例えば各ボタンに対応してランプ（ＬＥＤなど）４２ｆを備え、選択された運転モードのボタンに対応するランプ４２ｆが点灯するようになっている。各種ボタン４２ｂ〜４２ｅと、タイマボタン４２ｇとの操作を組み合わせることで、設定した時間に所望の運転モードが実行される。
【００５３】
図６以下は選択した運転モードによって動作する浴室空調装置１の具体例である。
【００５４】
（１）換気運転モード
図６および図７は換気運転モード時の浴室空調装置１の動作状態を示す。換気モードボタン４２ｄが押されたことを制御部４１（後述する）で検出すると、換気運転モードを実行する。
【００５５】
換気運転モードでは換気ファンモータ１０により換気ファン９が駆動されると共に、シャッタ２６が回動して換気用吸込部７の換気用吸込口２５が開放される。循環ファン１９は停止制御となる。換気用吸込口２５が開放されることで、フロントパネル５の換気用吸込口５ｃを介して、換気用吸込口２５から浴室３２の空気が吸込まれる。換気用吸込口２５から吸込まれた空気は、換気用吸込風路１３を通り換気ファン９に吸込まれる。
【００５６】
他室排気ダクト３４および他室排気吸込口２ｃを通って、洗面所３１等の他室の空気が吸込まれる。他室排気吸込口２ｃから吸込まれた空気は、他室排気風路１２を通って換気ファン９に吸込まれる。換気ファン９に吸込まれた空気は、排気風路１２および排気口２ｂを通り、さらに排気ダクト３７を通って排気グリル３８から屋外へ排気される。浴室３２内の空気を屋外に排気することで、浴室ドア４０に設けた空気取入口４０ａや他の居室のドアに設けたアンダーカット等から、洗面所３１等やその他居室の空気が吸込まれる。
【００５７】
換気運転モードを実行することで、浴室３２内の湯気や湿気を排気して結露等を抑制し、カビの発生を抑えることができる。
【００５８】
換気運転モードには、上述した通常の換気運転モードの他に、２４時間換気運転モードなどがある。２４時間換気運転モードにおいては、住宅全体又は住宅の所定エリアの容積について所定の換気回数（例えば０．５回／時間）を満たすように換気ファン９が動作して住宅内の換気が行われる。
【００５９】
２４時間換気運転モードは、通常は連続運転されるが、断続運転によって所定の換気回数を実現することもできる。２４時間換気運転モードは、図５に示す操作部４２のボタン４２ｈを操作することで実行される。２４時間換気運転モードの動作時は、上述した通常の換気運転モードの動作時と同様に、換気ファンモータ１０により換気ファン９が駆動される。さらにシャッタ用モータ３０によりシャッタ２６が回動され、換気用吸込部７の換気用吸込口２５が開放される。
【００６０】
換気ファン９が駆動され、換気用吸込口２５が開放されると、フロントパネル５の換気用吸込口５ｃを介して、換気用吸込口２５から浴室３２の空気が吸込まれる。換気用吸込口２５から吸込まれた空気は、換気用吸込風路１３を通り換気ファン９に吸込まれる。
【００６１】
他室排気ダクト３４および他室排気吸込口２ｃを通って、洗面所３１等の他室の空気が吸込まれる。他室排気吸込口２ｃから吸込まれた空気は、他室排気風路１２を通って換気ファン９に吸込まれる。換気ファン９に吸込まれた空気は、排気風路１２および排気口２ｂを通り、さらに排気ダクト３７を通って排気グリル３８から屋外へ排気される。
【００６２】
２４時間換気運転モードが実行されている状態で、換気モードボタン４２ｄが選択された際は、次に示すような方法により、住宅全体で換気される空気が所定の量に保たれる。２４時間換気運転モードが実行されている状態で、換気モードボタン４２ｄが選択されると、換気用吸込口２５のシャッタ２６の開度が広げられ浴室３２内から吸込まれる空気の量が増やされる。これにより他室排気吸込口２ｃを介して吸込まれる他室の空気の量は少なくなり、住宅全体で換気される空気は所定の量に保たれる。
【００６３】
また、他室排気吸込口２ｃが複数備えられているような場合は、他室排気ダクト接続部３３に電動式のシャッタを設け、このシャッタの開度を狭くすることにより洗面所３１等の他室から吸込まれる空気の量を少なくし、住宅全体で換気される空気が所定の量に保たれるようにしてもよい。
【００６４】
洗面所３１等の他室の照明スイッチ等を他室換気スイッチとして用いて、住宅全体で換気される空気が所定の量に保たれるようにしてもよい。他室換気スイッチが選択された際は、換気用吸込口２５のシャッタ２６の開度を狭くし、浴室３２内から吸込まれる空気の量を少なくして、洗面所３１等の他室の空気の吸込み量が増やされる。この結果、住宅全体で換気される空気の量が所定の量に保たれる。
【００６５】
なお、換気ファン９の換気ファン吸込口９ａが上面に配置されているので、２４時間換気運転モードにより常時換気運転を行っても、ファンの運転音（騒音）が、浴室３２内および浴室３２を通じて洗面所３１等に漏れることを防ぐことができる。
【００６６】
（２）暖房運転モード
図８および図９は暖房運転モード時の浴室空調装置１の動作状態を示す。暖房モードボタン４２ｂが押されると、暖房運転モードを実行する。暖房運転モードでは、シャッタ２６が回動されて、換気用吸込部７の換気用吸込口２５が閉塞される。換気ファン９の回転は停止される。また暖房運転モードでは、循環ファンモータ２０により循環ファン１９が駆動される。さらに暖房運転モードではヒータ１６が通電される。
【００６７】
循環ファンモータ２０により循環ファン１９が駆動されると、フロントパネル５の循環用吸込口５ｂを介して、循環用吸込口２２から浴室３２の空気が吸込まれる。循環用吸込口２２から吸込まれた空気は、循環風路２４を通り吹出口２３から、フロントパネル５の吹出口５ａを介して浴室３２内に吹き出される。ヒータ１６は循環風路２４に配置されているので、ヒータ１６が通電され加熱された状態では、循環風路２４を通る空気が暖められて吹出口２３から吹き出す。これにより、暖房運転モードを実行することができ、浴室３２内の空気を循環させながら浴室３２内を暖房して、室温を上げることができる。
【００６８】
上述では換気ファン９の回転は停止されるとした。しかし、洗面所３１等の他室から吸込んだ空気を排気するために、暖房運転モード時に、換気用吸込部７の換気用吸込口２５を閉塞した状態で換気ファン９を回転させるようにしてもよい。換気用吸込部７の換気用吸込口２５を閉塞することにより、浴室３２内の暖められた空気が浴室３２の外に逃げることを防ぐことができる。
【００６９】
（３）乾燥運転モード
図１０および図１１は乾燥運転モード時の浴室空調装置１の動作状態を示す。
乾燥モードボタン４２ｅが押されると、乾燥運転モードを実行する。乾燥運転モードでは、換気ファンモータ１０により換気ファン９が駆動される。さらにシャッタ用モータ３０によりシャッタ２６が回動され、換気用吸込部７の換気用吸込口２５が開放される。換気ファン９が駆動され、換気用吸込口２５が開放されると、フロントパネル５の換気用吸込口５ｃを介して、換気用吸込口２５から浴室３２の空気が吸込まれる。換気用吸込口２５から吸込まれた空気は、換気用吸込風路１３を通り換気ファン９に吸込まれる。
【００７０】
他室排気ダクト３４および他室排気吸込口２ｃを通って、洗面所３１等の他室の空気が吸込まれる。他室排気吸込口２ｃから吸込まれた空気は、他室排気風路１２を通って換気ファン９に吸込まれる。換気ファン９に吸込まれた空気は、排気風路１２および排気口２ｂを通り、排気ダクト３７を通って排気グリル３８から屋外へ排気される。浴室３２内の空気を屋外に排気することで、浴室ドア４０に設けた空気取入口４０ａから、洗面所３１等の空気が吸込まれる。
【００７１】
この乾燥運転モードでは、循環ファンモータ２０により循環ファン１９が駆動され、ヒータ１６が通電される。循環ファンモータ２０により循環ファン１９が駆動されると、フロントパネル５の循環用吸込口５ｂを介して、循環用吸込口２２から浴室３２の空気が吸込まれる。循環用吸込口２２から吸込まれた空気は、循環風路２４を通り吹出口２３から、フロントパネル５の吹出口５ａを介して浴室３２内に吹き出される。ヒータ１６は循環風路２４に配置されるので、ヒータ１６が通電され加熱された状態では、循環風路２４を通る空気が暖められて吹出口２３から吹き出す。
【００７２】
これにより、乾燥運転モードを実行することで、浴室３２内に温風を吹き出して、ランドリパイプ３９に掛けられた洗濯物を乾燥させることができる。浴室３２内の空気の一部は屋外に排気され、空気取入口４０ａから洗面所３１等の空気を取り込むことで、浴室３２内の換気が行われるので、湿気等を排出して、洗濯物の乾燥を促進することができる。
【００７３】
（４）涼風運転モード
涼風運転モードを再び図１０および図１１を参照して説明する。涼風モードボタン４２ｃが押されると、涼風運転モードを実行する。涼風運転モードでは、換気ファンモータ１０により換気ファン９が駆動され、そしてシャッタ２６が回動されて換気用吸込部７の換気用吸込口２５が開放される。
【００７４】
換気ファン９が駆動され、換気用吸込口２５が開放されると、フロントパネル５の換気用吸込口５ｃを介して、換気用吸込口２５から浴室３２の空気が吸込まれる。換気用吸込口２５から吸込まれた空気は、換気用吸込風路１３を通り換気ファン９に吸込まれる。他室排気ダクト３４および他室排気吸込口２ｃを通って、洗面所３１等の他室の空気が吸込まれる。他室排気吸込口２ｃから吸込まれた空気は、他室排気風路１２を通って換気ファン９に吸込まれる。換気ファン９に吸込まれた空気は、排気風路１２および排気口２ｂを通り、そして排気ダクト３７を通って排気グリル３８から屋外へ排気される。浴室３２内の空気を屋外に排気することで、浴室ドア４０に設けた空気取入口４０ａから、洗面所３１等の空気が吸込まれる。
【００７５】
循環ファンモータ２０により循環ファン１９が駆動されると、フロントパネル５の循環用吸込口５ｂを介して、循環用吸込口２２から浴室３２の空気が吸込まれる。循環用吸込口２２から吸込まれた空気は、循環風路２４を通り吹出口２３から、フロントパネル５の吹出口５ａを介して浴室３２内に吹き出される。
【００７６】
このように涼風運転モードでは、浴室３２内の湿度の高い空気を排気し、浴室３２内の空気を循環させながら、浴室３２内の温度に応じた涼風が吹き出され、浴室空調装置１を夏場等に扇風機として使用することができる。換気ファン９の回転を停止させ、換気用吸込口２５を閉塞させてもよい。
【００７７】
なお、換気ファン９の換気ファン吸込口９ａが上面に配置されているので、浴室３２および他室内の空気を取り込む際のファンの運転音が、浴室３２内に大きく漏れることを防ぐことができる。これにより、浴室３２内に漏れる浴室空調装置１の運転音が低減する。
【００７８】
上述したような各種運転モードを実現するため、この浴室空調装置１には図１２に示すような制御系が設けられている。制御系の一例を図１２の要部系統図を参照して説明すると、装置全体の制御を司るＣＰＵ（Central Processing Unit）やメモリ等で構成される制御部４１には、上述したように換気ファン９を駆動する換気ファンモータ１０、循環ファン１９を駆動する循環ファンモータ２０、シャッタ２６を駆動するシャッタ用モータ３０、ヒータ１６、操作部４２等が接続される。
【００７９】
制御部４１は、ＲＯＭなどのメモリ手段（図示はしない）に格納された処理プログラムを起動することによって、暖房運転モード、換気運転モード、涼風運転モード、乾燥運転モードおよび情報算出・表示モードなどの各種運転モードを、操作部４２の操作状態を監視することで実行される。
【００８０】
制御部４１にはさらに浴室空調装置１の点検情報を参照するための各種手段が関連付けられている。浴室空調装置１の点検情報として、以下説明する例では、
（１）換気ファン９の風量情報
（２）換気ファン９に接続された直管相当分のダクト長情報
（３）温度、湿度情報
（４）揮発性化学物質（ＶＯＣ）の濃度情報
を例示する。
【００８１】
これらの点検情報は、いずれも浴室空調装置１の不具合があった場合、その原因究明をするときの参考情報として利用できるからである。例えば、換気ファン９の風量が低下しているときは、換気ファン９自体の他に、換気ファン９の連結経路に存在する部材を点検することで、その原因を突き止めることができる場合があるからである。
【００８２】
換気ファン９に連結されるダクトのダクト長は、設計時と施工時とで異なる場合がある。設計当時とは異なる経路でダクトが施工されているときは、設計時よりも施工時の方がダクト長が長くなることが多く、それによって充分な送風能力を持った換気ファン９が使用されているかどうかの検討材料の目安となるからである。
【００８３】
また、建材や塗料などに含まれるホルムアルデヒド、トルエンなどの揮発性有機化合物（ＶＯＣ）についても、換気が充分でないと、その汚染濃度が高まることが知られている。汚染濃度は温度や湿度によっても影響を受ける。温度や湿度が上昇するにつれ汚染濃度が高くなる傾向にある。したがってＶＯＣ濃度も、適切な換気がなされているかどうかの指標として利用できる。
【００８４】
そこで、この発明ではこれらの点検情報を算出しそして表示できるようにしたもので、例えば上述した４つの項目を点検情報として表示する。そのため、図１２に示す制御部４１には風量を算出するための、この例では換気ファンモータ１０に対する負荷検出手段５０が設けられる。図１２の例は、さらに負荷検出手段５０として換気ファンモータ１０の回転数を検出するため、モータ回転軸に取り付けられた周波数発電機（ＦＧ、図示はしない）からのパルス（ＦＧパルス）を検出するためのＦＧパルス検出部となされ、ここで検出されたＦＧパルスが制御部４１に供給される。制御部４１では必要に応じて、単位時間当たりのＦＧパルス数から換気ファンモータ１０の回転数が算出される。
【００８５】
ＦＧパルス検出部５０の他に、温度センサ５１、湿度センサ５２およびＶＯＣセンサ５３からの各センサ出力が制御部４１に集められる。ＶＯＣセンサ５３としては、熱線型の半導体センサなどを利用できる。ＶＯＣ濃度は、温度および湿度などの情報を加味して算出される。そして例えば標準濃度を基準にしてこれよりも低いか高いかを表示することで（図５参照）、換気風量の調整などに活用できる。
【００８６】
点検情報などの情報算出・表示モードの選択は図５に示す操作部４２で行う。この例では換気モードボタン４２ｄを情報算出・表示モードボタンとして兼用する。以下、この情報算出・表示モードボタンを換気・計測モードボタンとして説明する。この換気・計測モードボタン４２ｄを押している時間の長短によって、換気モードか情報算出・表示モードかを区別する。
【００８７】
情報算出・表示モードが選択されると、図５に示す表示部４２ａが時計表示から点検情報表示に切り替わる。点検情報表示例を図１３および図１４に示す。図１３は第１の点検情報表示モードであって、この表示モードでは換気ファン９の風量と、ダクト長が表示される。ダクト長は、浴室空調装置１から外壁に設置された排気グリル３８までの長さに相当する。図１４は、第２の点検情報表示モードであって、温度、湿度の他に、ＶＯＣ濃度が３段階表示される例を示す。
【００８８】
上述したダクト長の算出は種々考えられるが、その一例を図１５を参照して説明する。
【００８９】
図１５において曲線ＬａはＮ−Ｑ曲線であって、回転数Ｎ（ｒｐｍ）と風量（ｍ3／ｈ）との関係を示す。回転数Ｎは換気ファンモータ１０の回転数である。この曲線Ｌａは所定（例えば８０％）デューティー（電源周波数は５０Ｈｚである。以下同様）で、換気ファンモータ１０を駆動したときの特性曲線である。
【００９０】
曲線ＬｂはＰ−Ｑ曲線であって、換気ファン９の風量Ｑに対する圧力損失Ｐ（Ｐａ）との関係を示す特性曲線である。所定（例えば８０％）デューティーで駆動したときの特性曲線である。
【００９１】
曲線Ｌｃはダクト抵抗損失曲線であって、直管相当のダクト長の長短によってダクトの抵抗損失が変化する。ここに、ダクトの直管相当長（ダクト長）は、ダクトの曲げ部分やベントキャップ等の末端部分、居室間の建具の隙間等の抵抗損失を直管の長さに換算した長さである。曲線Ｌｃ１はダクト長が２ｍ相当のときの抵抗損失曲線であり、曲線Ｌｃ２はダクト長が５ｍ相当の抵抗損失曲線であり、曲線Ｌｃ３はダクト長が７ｍ相当の抵抗損失曲線であり、そして曲線Ｌｃ４はダクト長が１０ｍ相当の抵抗損失曲線である。
【００９２】
実際に計測するのは換気ファンモータ１０のＦＧパルス数であるが、このＦＧパルス数から回転数Ｎが換算される。回転数Ｎより風量Ｑが判る。例えば回転数ＮがＮｘであるときの風量ＱはＱｘ（この例では１００ｍ３／ｈ）となる。また、風量Ｑｘであるときの圧力損失ＰはＰｘとなり、この圧力損失Ｐｘであるときのダクト抵抗損失は曲線Ｌｃ２となるから、この場合の直管相当のダクト長は５ｍとなる。図１３の表示例は回転数ＮがＮｘであるときの風量とダクト長の各算出値を示す。
【００９３】
このような点検情報の算出および表示処理例を図１６以下を参照して説明する。まず、図１６を算出して情報算出・表示モードの遷移例を説明する。まず、図５に示す換気・計測モードボタン４２ｄが操作されたかどうかを監視する（ステップ６１）。換気・計測モードボタン４２ｄが操作されたときで、その押されている時間が短いときは（通常の操作）、通常の換気モードが選択されたものとして通常の運転モードに遷移する（ステップ６２，６３）。したがって、再度同じボタン４２ｄが操作されるとこの運転モードが解除される（ステップ６４，７３）。
【００９４】
これに対しステップ６２で、通常の操作時間よりも長いと判断されたとき、例えば２秒以上連続して操作されていると判断されたときは、情報算出・表示モードに遷移し、直ちに換気ファンモータ１０を駆動する（ステップ６６）。２４時間換気モードで既に換気ファン９が動作しているときは、この駆動指示ステップ６６は不要である。
【００９５】
換気ファンモータ１０を駆動してから所定時間経過してから、つまり安定した駆動状態となってから、換気ファン９の風量およびダクト長の算出処理が行われる（ステップ６７）。算出結果を表示部４２ａに表示する（ステップ６８）。これが第１の算出・表示モードとなる。
【００９６】
この算出結果の表示処理中に換気・計測モードボタン４２ｄの操作状態が監視され（ステップ６９）、このボタン４２ｄが操作されるまで算出結果の表示状態が継続される（ステップ６９，６８）。しかし、換気・計測モードボタン４２ｄが操作されたときで、しかも通常の操作時間であると判断されたときは、運転モードを解除して点検情報算出・表示処理が終了する（ステップ７０，７３）。２４時間換気モードが動作しているときは、点検情報算出・表示処理のみが解除されることになる。
【００９７】
これに対して、ボタン操作時間が所定時間以上連続していると判断されたときは、風量およびダクト長算出処理以外の算出・表示処理（温度・湿度ＶＯＣ算出・表示処理）が実行される（ステップ７１）。温度センサ５１からの検出温度Ｔ、湿度センサ５２からの検出湿度ＨおよびＶＯＣセンサ５３からのセンサ出力に基づいて算出されたＶＯＣ濃度情報が表示部４２ａに表示される。この表示モードが第２の算出・表示モードとなる。
【００９８】
この算出結果の表示処理中でも換気・計測モードボタン４２ｄの操作状態が監視されているので（ステップ７２）、このボタン４２ｄが操作されるまでは算出結果の表示状態が継続される（ステップ７２，７１）。しかし、換気・計測モードボタン４２ｄが操作されたときで、しかも通常の操作時間であると判断されたときは、運転モードを解除して点検情報算出・表示処理が終了する（ステップ７２，７３）。２４時間換気モードが動作しているときは、点検情報算出・表示処理のみが解除されることになる。
【００９９】
このように換気・計測モードボタン４２ｄに対する操作の違いに基づいて通常の換気モードか、点検情報算出・表示処理モードかが選択される。
【０１００】
図１７はダクト長算出処理例を示すフローチャートである。この例はＦＧパルスをカウントし、その値から換気ファン９の回転数Ｎ（換気ファンモータ１０の回転数）が算出される（ステップ８１，８２）。次に、（Ｎ−Ｑ曲線）の情報が格納された第１のデータテーブルを参照して、回転数Ｎから換気ファン９の風量Ｑを算出する。具体的には対応する風量Ｑの値を読み取る（ステップ８３）。算出された風量Ｑの値は表示部４２ａに表示される（ステップ８４）。
【０１０１】
次に、（Ｐ−Ｑ曲線）の情報が格納された第２のデータテーブルを参照して、風量Ｑに対応した圧力損失Ｐが読み出され（ステップ８５）、読み出された圧力損失Ｐの値を有するダクト抵抗損失を第３のデータテーブルから参照する（ステップ８６）。この第３のデータテーブルには、ダクト抵抗損失に関する直管相当のダクト長のデータが格納されているため、第３のデータテーブルによって求めようとするダクト長を参照できる。これが表示部４２ａに表示される（ステップ８７）。
【０１０２】
図１７では、第１から第３までのデータテーブルを参照して風量とダクト長を算出したが、２つのデータテーブルのみでこれらを算出・表示することもできる。この例では、ＦＧパルスと、それに対応する風量のデータが格納された第１のデータテーブルを使用すると共に、ＦＧパルスと、それに対応したダクト長に関するデータが格納された第２のデータテーブルを使用して算出し、表示する。その例を図１８を参照して説明する。
【０１０３】
まず、カウントしたＦＧパルスを用いて、第１のデータテーブルを参照することで風量を直接求める（ステップ９１，９２）。求められた風量が表示部４２ａに表示される（ステップ９３）。
【０１０４】
次に、第２のデータテーブルを参照してカウントされたＦＧパルス数からダクト長を直接求める（ステップ９４）。このダクト長が表示部４２ａに表示される（ステップ９５）。
【０１０５】
カウントされたＦＧパルス数の値から直接風量とダクト長を算出することも可能である。その場合には、参照するデータテーブルとして、ＦＧパルス数から風量とダクト長の２つの値を同時に参照できるようなデータテーブルが使用される。
【０１０６】
図１９はその一例であって、カウントしたＦＧパルスを用いて、データテーブルを参照する。ＦＧパルス数に対応した風量とダクト長のそれぞれの値を直接読み出す（ステップ１０１，１０２）。求められた風量とダクト長が表示部４２ａに表示される（ステップ１０３）。
【０１０７】
換気ファン９の風量の検出にあっては、図３に示すように排気口２ｂに設けられた逆風防止用のダンパー２９を利用することもできる。例えばダンパー２９の開口角度を、例えばエンコーダ（図示はしない）によって検出し、このエンコーダ出力である開口角度情報から風量を算出すればよいからである。
【０１０８】
上述した実施例では、この発明に係る情報表示装置を浴室空調装置に適用した場合であるが、その他の部屋に設置して使用される空調装置にもこの発明を適用できる。
【産業上の利用可能性】
【０１０９】
本発明は、室内の換気を行う換気装置に適用できる。
【図面の簡単な説明】
【０１１０】
【図１】この発明に係る点検情報算出・表示装置を適用した浴室空調装置の設置例を示す図である。
【図２】この発明を適用した浴室空調装置の分解斜視図である。
【図３】この発明を適用した浴室空調装置のＡ−Ａ断面図である。
【図４】この発明を適用した浴室空調装置のＢ−Ｂ断面図である。
【図５】浴室空調装置に使用される操作部の一例を示す平面図である。
【図６】換気運転モード時の浴室空調装置の状態を示す説明図である（その１）。
【図７】換気房運転モード時の浴室空調装置の状態を示す説明図である（その２）。
【図８】暖房運転モード時の浴室空調装置の状態を示す説明図である（その１）。
【図９】暖房運転モード時の浴室空調装置の状態を示す説明図である（その２）。
【図１０】乾燥運転モード時の浴室空調装置の状態を示す説明図である（その１）。
【図１１】乾燥運転モード時の浴室空調装置の状態を示す説明図である（その２）。
【図１２】この発明に係る点検情報算出・表示装置を適用した浴室空調装置の制御系の一例を示す要部構成図である。
【図１３】点検情報の表示状態を示す図である（その１）。
【図１４】点検情報の表示状態を示す図である（その２）。
【図１５】Ｎ−Ｑ曲線等の特性図である。
【図１６】この発明に係る点検情報算出・表示装置の算出・表示処理例を示すフローチャートである。
【図１７】風量およびダクト長の算出・表示処理例を示すフローチャートである（その１）。
【図１８】風量およびダクト長の算出・表示処理例を示すフローチャートである（その２）。
【図１９】風量およびダクト長の算出・表示処理例を示すフローチャートである（その３）。
【符号の説明】
【０１１１】
１・・・浴室空調装置
２・・・本体ケース
２ｂ・・・排気口
２ｃ・・・他室排気吸込口
３・・・換気ユニット
４・・・循環ユニット
６・・・換気ファンユニット
９・・・換気ファン
１０・・・換気ファンモータ
３１・・・洗面所
３２・・・浴室
３３・・・他室排気ダクト接続部
３４・・・他室排気ダクト
３６・・・排気ダクト接続部
３７・・・排気ダクト
４１・・・制御部
４２・・・操作部
５０・・・ＦＧパルス検出部
５１・・・温度センサ
５２・・・湿度センサ
５３・・・ＶＯＣセンサ
【図１】
0004678274.tif 000002
【図２】
0004678274.tif 000003
【図３】
0004678274.tif 000004
【図４】
0004678274.tif 000005
【図５】
0004678274.tif 000006
【図６】
0004678274.tif 000007
【図７】
0004678274.tif 000008
【図８】
0004678274.tif 000009
【図９】
0004678274.tif 000010
【図１０】
0004678274.tif 000011
【図１１】
0004678274.tif 000012
【図１２】
0004678274.tif 000013
【図１３】
0004678274.tif 000014
【図１４】
0004678274.tif 000015
【図１５】
0004678274.tif 000016
【図１６】
0004678274.tif 000017
【図１７】
0004678274.tif 000018
【図１８】
0004678274.tif 000019
【図１９】
0004678274.tif 000020